(57)【要約】 【課題】  可搬形の無線通信装置が無線基地局と無線通信可能であれば、可搬形の無線通信装置によって放送局からの放送用情報を再生することができ、放送用情報の再生中でも、可搬形の無線通信装置によって他の情報を受信することができ、さらに有限の無線帯域が逼迫してしまうことが防がれ、さらに構築およびメンテナンスが容易である放送用情報伝送システムを提供する。【解決手段】  ラジオ放送局２からの放送用情報は、放送用情報送信サーバ１３によって、パケット化される。このパケット化された放送用情報は、放送用情報送信サーバ１３から、ゲートウェイ１４を介して無線基地局１１に送信され、無線基地局１１から携帯電話装置４に送信される。携帯電話装置４は、無線基地局１１からのパケット化された放送用情報に基づいて、放送用出力情報を生成して出力する。【選択図】      図１
2006135757.tif 000002
【特許請求の範囲】
【請求項１】
放送局からの放送用情報を、無線通信ネットワークを用いて、可搬形の無線通信装置に伝送する放送用情報伝送システムであって、
無線通信装置と無線通信する無線基地局と、
放送局からの放送用情報を、パケット化して送信する放送用情報送信サーバと、
無線基地局および放送用情報送信サーバを接続するゲートウェイとを含み、
放送用情報送信サーバは、パケット化された放送用情報を、ゲートウェイを介して無線基地局に送信し、
無線基地局は、放送用情報送信サーバからのパケット化された放送用情報を、無線通信装置に送信し、
無線通信装置は、無線基地局からのパケット化された放送用情報に基づいて、放送用出力情報を生成して出力することを特徴とする放送用情報伝送システム。
【請求項２】
無線基地局は、無線通信装置との無線通信に用いられる無線チャネルのうち、制御チャネルおよび情報チャネルのいずれか一方のパケットスロットに、放送用情報送信サーバからのパケット化された放送用情報を挿入することを特徴とする請求項１記載の放送用情報伝送システム。
【請求項３】
放送用情報送信サーバは、放送用情報を放送する放送局に関連する放送局関連情報を、放送局からの放送用情報とともにパケット化して送信し、
無線通信装置は、前記放送局関連情報を出力することを特徴とする請求項１または２記載の放送用情報伝送システム。
【請求項４】
放送用情報送信サーバは、パケット化された放送用情報を送信するとともに、放送用情報を放送する放送局に関連する放送局関連情報を送信し、
無線通信装置は、前記放送局関連情報を出力することを特徴とする請求項１または２記載の放送用情報伝送システム。
【請求項５】
放送用情報送信サーバは、複数の放送局からの各放送用情報を、それぞれパケット化し、
無線通信装置は、無線基地局から受信するパケット化された放送用情報を、選択可能であることを特徴とする請求項１〜４のいずれか１つに記載の放送用情報伝送システム。
【請求項６】
無線通信装置は、無線基地局との無線通信が可能な通信圏内で無線基地局からのパケット化された放送用情報を受信しているときに、無線基地局との無線通信が不可能な通信圏外に移動され、再び通信圏内に移動されたとき、無線基地局からのパケット化された放送用情報の受信を再開するか否かを、予め設定可能であることを特徴とする請求項１〜５のいずれか１つに記載の放送用情報伝送システム。
【請求項７】
無線通信装置は、予め設定される開始時刻になると、無線基地局からのパケット化された放送用情報の受信を開始し、または予め定める終了時刻になると、無線基地局からのパケット化された放送用情報の受信を終了することを特徴とする請求項１〜６のいずれか１つに記載の放送用情報伝送システム。
【請求項８】
無線通信装置は、放送用出力情報を出力しているときに、無線基地局から所定の情報を受信すると、その旨を報知することを特徴とする請求項１〜７のいずれか１つに記載の放送用情報伝送システム。
【請求項９】
放送用情報送信サーバは、放送局からの放送用情報を編集し、編集された放送用情報をパケット化して送信することを特徴とする請求項１〜８のいずれか１つに記載の放送用情報伝送システム。
【請求項１０】
放送用情報送信サーバは、無線通信装置からの編集送信要求情報に基づいて、放送局からの放送用情報を編集し、編集された放送用情報をパケット化して送信することを特徴とする請求項９記載の放送用情報伝送システム。
【請求項１１】
放送局からの放送用情報は、ラジオ放送局からの放送用情報であることを特徴とする請求項１〜１０のいずれか１つに記載の放送用情報伝送システム。
【請求項１２】
放送局からの放送用情報は、音声放送用情報を含み、
放送用情報送信サーバは、パケット化された音声放送用情報を、楽曲を表す楽曲情報と、それ以外の音情報とに区別することを特徴とする請求項１１記載の放送用情報伝送システム。
【請求項１３】
放送局からの放送用情報は、音声放送用情報を含み、
放送用情報送信サーバは、音声放送用情報を、予め定める音声符号化方式によって符号化することを特徴とする請求項１１または１２記載の放送用情報伝送システム。
【請求項１４】
放送局からの放送用情報は、音声放送用情報を含み、
放送用情報送信サーバは、音声放送用情報を、音声情報から文字情報に変換して、パケット化することを特徴とする請求項１１〜１３のいずれか１つに記載の放送用情報伝送システム。
【請求項１５】
放送局からの放送用情報は、音声放送用情報および文字放送用情報を含み、
放送用情報送信サーバは、音声放送用情報および文字放送用情報を、個別にパケット化することを特徴とする請求項１１〜１４のいずれか１つに記載の放送用情報伝送システム。
【請求項１６】
無線通信装置は、携帯電話装置であることを特徴とする請求項１〜１５のいずれか１つに記載の放送用情報伝送システム。
【請求項１７】
無線通信装置は、ＰＨＳ装置であることを特徴とする請求項１〜１５のいずれか１つに記載の放送用情報伝送システム。
【請求項１８】
無線通信装置は、無線ＬＡＮに用いられる可搬形のコンピュータであることを特徴とする請求項１〜１５のいずれか１つに記載の放送用情報伝送システム。
【請求項１９】
請求項１〜１８のいずれか１つに記載の放送用情報伝送システムを利用して、放送局からの放送用情報を取得する可搬形の無線通信装置。
【発明の詳細な説明】
【技術分野】
【０００１】
本発明は、放送局からの放送用情報を、無線通信ネットワークを用いて、可搬形の無線通信装置に伝送する放送用情報伝送システムに関する。
【背景技術】
【０００２】
第１の従来技術は、特許文献１に開示される。この従来技術には、ラジオ付き無線電話装置が用いられる。この従来技術では、ラジオ放送局が、放送用情報を、放送用アンテナを介して電波として送信する。電波として送信される放送用情報は、ラジオ付き無線電話装置によって受信される。
【０００３】
第２の従来技術は、特許文献２に開示される。この従来技術には、ラジオ付携帯電話機が用いられる。この従来技術でも、ラジオ放送局が、放送用情報を、放送用アンテナを介して電波として送信する。電波として送信される放送用情報は、ラジオ付携帯電話機によって受信される。また、この従来技術では、ラジオ放送局から放送されていた楽曲の曲名情報などが、放送詳細情報提供サーバから、無線基地局を介して送信され、ラジオ付携帯電話機によって受信される。
【０００４】
第３の従来技術は、特許文献３に開示される。この従来技術は、ラジオ放送局と通信可能な携帯電話用のラジオ放送設備を備える。携帯電話用のラジオ放送設備は、専用のラジオ放送制御用プログラムを実行する。ラジオ放送局からの放送用情報は、携帯電話用のラジオ放送設備から、携帯電話回線を介して携帯電話機に伝送される。
【０００５】
【特許文献１】特開平５−２６８１５１号公報
【特許文献２】特開２００３−９２５５６号公報
【特許文献３】特開２００３−１６９３８０号公報
【発明の開示】
【発明が解決しようとする課題】
【０００６】
前記第１の従来技術では、ラジオ放送局が放送用アンテナを介して送信する電波の電界強度が不足するような場所では、ラジオ付き無線電話装置は、ラジオ放送局からの放送用情報を再生することができないという問題がある。
【０００７】
前記第２の従来技術では、前記第１の従来技術と同様の問題、すなわちラジオ放送局が放送用アンテナを介して送信する電波の電界強度が不足するような場所では、ラジオ付携帯電話機は、ラジオ放送局からの放送用情報を再生することができないという問題がある。
【０００８】
前記第３の従来技術では、携帯電話用のラジオ放送設備が必要であり、この携帯電話用のラジオ放送設備は、携帯電話機毎に携帯電話回線を確立して、ラジオ放送局からの放送用情報を各携帯電話機にそれぞれ伝送する。このような携帯電話用のラジオ放送設備は、構築が困難であり、またメンテナンスが大変である。
【０００９】
さらに、この従来技術では、ラジオ放送局からの放送用情報が、携帯電話用のラジオ放送設備から、携帯電話回線を介して携帯電話機に伝送されるときに、携帯電話回線が占有される。したがって携帯電話機が放送用情報を受信するときは、この携帯電話機は他の情報を送受信することができないという問題がある。また、放送用情報を受信している携帯電話機が増加するにつれて、有限の無線帯域が逼迫してしまうという問題がある。
【００１０】
本発明の目的は、可搬形の無線通信装置が無線基地局と無線通信可能であれば、可搬形の無線通信装置によって放送局からの放送用情報を再生することができ、放送用情報の再生中でも、可搬形の無線通信装置によって他の情報を受信することができ、さらに有限の無線帯域が逼迫してしまうことが防がれ、さらに構築およびメンテナンスが容易である放送用情報伝送システムを提供することである。
【課題を解決するための手段】
【００１１】
本発明は、放送局からの放送用情報を、無線通信ネットワークを用いて、可搬形の無線通信装置に伝送する放送用情報伝送システムであって、
無線通信装置と無線通信する無線基地局と、
放送局からの放送用情報を、パケット化して送信する放送用情報送信サーバと、
無線基地局および放送用情報送信サーバを接続するゲートウェイとを含み、
放送用情報送信サーバは、パケット化された放送用情報を、ゲートウェイを介して無線基地局に送信し、
無線基地局は、放送用情報送信サーバからのパケット化された放送用情報を、無線通信装置に送信し、
無線通信装置は、無線基地局からのパケット化された放送用情報に基づいて、放送用出力情報を生成して出力することを特徴とする放送用情報伝送システムである。
【００１２】
また本発明は、無線基地局は、無線通信装置との無線通信に用いられる無線チャネルのうち、制御チャネルおよび情報チャネルのいずれか一方のパケットスロットに、放送用情報送信サーバからのパケット化された放送用情報を挿入することを特徴とする。
【００１３】
また本発明は、放送用情報送信サーバは、放送用情報を放送する放送局に関連する放送局関連情報を、放送局からの放送用情報とともにパケット化して送信し、
無線通信装置は、前記放送局関連情報を出力することを特徴とする。
【００１４】
また本発明は、放送用情報送信サーバは、パケット化された放送用情報を送信するとともに、放送用情報を放送する放送局に関連する放送局関連情報を送信し、
無線通信装置は、前記放送局関連情報を出力することを特徴とする。
【００１５】
また本発明は、放送用情報送信サーバは、複数の放送局からの各放送用情報を、それぞれパケット化し、
無線通信装置は、無線基地局から受信するパケット化された放送用情報を、選択可能であることを特徴とする。
【００１６】
また本発明は、無線通信装置は、無線基地局との無線通信が可能な通信圏内で無線基地局からのパケット化された放送用情報を受信しているときに、無線基地局との無線通信が不可能な通信圏外に移動され、再び通信圏内に移動されたとき、無線基地局からのパケット化された放送用情報の受信を再開するか否かを、予め設定可能であることを特徴とする。
【００１７】
また本発明は、無線通信装置は、予め設定される開始時刻になると、無線基地局からのパケット化された放送用情報の受信を開始し、または予め定める終了時刻になると、無線基地局からのパケット化された放送用情報の受信を終了することを特徴とする。
【００１８】
また本発明は、無線通信装置は、放送用出力情報を出力しているときに、無線基地局から所定の情報を受信すると、その旨を報知することを特徴とする。
【００１９】
また本発明は、放送用情報送信サーバは、放送局からの放送用情報を編集し、編集された放送用情報をパケット化して送信することを特徴とする。
【００２０】
また本発明は、放送用情報送信サーバは、無線通信装置からの編集送信要求情報に基づいて、放送局からの放送用情報を編集し、編集された放送用情報をパケット化して送信することを特徴とする。
【００２１】
また本発明は、放送局からの放送用情報は、ラジオ放送局からの放送用情報であることを特徴とする。
【００２２】
また本発明は、放送局からの放送用情報は、音声放送用情報を含み、
放送用情報送信サーバは、パケット化された音声放送用情報を、楽曲を表す楽曲情報と、それ以外の音情報とに区別することを特徴とする。
【００２３】
また本発明は、放送局からの放送用情報は、音声放送用情報を含み、
放送用情報送信サーバは、音声放送用情報を、予め定める音声符号化方式によって符号化することを特徴とする。
【００２４】
また本発明は、放送局からの放送用情報は、音声放送用情報を含み、
放送用情報送信サーバは、音声放送用情報を、音声情報から文字情報に変換して、パケット化することを特徴とする。
【００２５】
また本発明は、放送局からの放送用情報は、音声放送用情報および文字放送用情報を含み、
放送用情報送信サーバは、音声放送用情報および文字放送用情報を、個別にパケット化することを特徴とする。
【００２６】
また本発明は、無線通信装置は、携帯電話装置であることを特徴とする。
また本発明は、無線通信装置は、ＰＨＳ装置であることを特徴とする。
【００２７】
また本発明は、無線通信装置は、無線ＬＡＮに用いられる可搬形のコンピュータであることを特徴とする。
【００２８】
また本発明は、前記放送用情報伝送システムを利用して、放送局からの放送用情報を取得する可搬形の無線通信装置である。
【発明の効果】
【００２９】
本発明によれば、放送局からの放送用情報は、放送用情報送信サーバによって、パケット化される。このパケット化された放送用情報は、放送用情報送信サーバから、ゲートウェイを介して無線基地局に送信され、無線基地局から可搬形の無線通信装置に送信される。無線通信装置は、無線基地局からのパケット化された放送用情報に基づいて、放送用出力情報を生成して出力する。このようにして、放送局からの放送用情報を、無線通信装置によって再生することができる。
【００３０】
したがって放送局が放送用アンテナを介して送信する電波の電界強度が不足するような場所でも、無線通信装置が無線基地局と無線通信可能であれば、この無線通信装置によって放送局からの放送用情報を再生することができる。
【００３１】
無線通信装置には、放送用情報送信サーバから、パケット化された放送用情報が送信されるので、無線通信装置によって放送局からの放送用情報が再生されているときでも、通信回線が占有されることがない。したがって無線通信装置によって放送局からの放送用情報が再生されているときでも、その無線通信装置によって無線基地局から送信される他の情報を受信することができる。また放送用情報を再生している無線通信装置が増加しても、有限の無線帯域が逼迫してしまうことが防がれ、無線通信ネットワークを用いた他の通信に与える影響を抑えることができる。
【００３２】
また前記第３の従来技術のように、無線通信装置毎に通信回線を確立して、放送局からの放送用情報を各無線通信装置にそれぞれ伝送するための設備が不要である。したがってシステムの構築およびメンテナンスを容易化することができ、システムの構築およびメンテナンスに要する負担を軽減することができる。
【００３３】
さらに放送用情報送信サーバは、ゲートウェイを介して無線基地局に、パケット化された放送用情報を送信するので、放送用情報伝送システムは、他のサーバが、ゲートウェイを介して無線基地局に、パケット化された他の情報を送信する場合と同じシステム構成となる。したがって無線基地局などを運営する通信事業者は、放送用情報送信サーバからのパケット化された放送用情報の提供および他のサーバからのパケット化された他の情報の提供を、セキュリティおよび課金について一元化することができる。
【００３４】
また本発明によれば、無線基地局は、放送用情報送信サーバからのパケット化された放送用情報を、制御チャネルおよび情報チャネルのいずれか一方のパケットスロットに挿入する。このようにして無線基地局は、パケット化された放送用情報を無線通信装置に送信する。したがってパケット化された放送用情報を、無線基地局から無線通信装置に、効率よく送信することができる。
【００３５】
また本発明によれば、放送用情報送信サーバは、放送用情報を放送する放送局に関連する放送局関連情報を、放送局からの放送用情報とともにパケット化して送信する。前記放送局関連情報は、無線通信装置によって出力される。これによって前記放送局関連情報を、無線通信装置の操作者に通知することができる。
【００３６】
また本発明によれば、放送用情報送信サーバは、パケット化された放送用情報を送信するとともに、放送用情報を放送する放送局に関連する放送局関連情報を送信する。前記放送局関連情報は、無線通信装置によって出力される。これによって前記放送局関連情報を、無線通信装置の操作者に通知することができる。
【００３７】
また本発明によれば、複数の放送局からの各放送用情報は、放送用情報送信サーバによって、それぞれパケット化される。これらの各パケット化された放送用情報は、放送用情報送信サーバから、ゲートウェイを介して無線基地局に送信され、無線基地局から無線通信装置に送信される。無線通信装置は、無線基地局から受信するパケット化された放送用情報を選択可能である。したがって無線基地局からの各パケット化された放送用情報のうち任意のパケット化された放送用情報を、無線通信装置によって受信することができる。
【００３８】
また本発明によれば、無線通信装置は、通信圏内で無線基地局からのパケット化された放送用情報を受信しているときに、通信圏外に移動され、再び通信圏内に移動されたとき、無線基地局からのパケット化された放送用情報の受信を再開するか否かを、予め設定可能である。このような設定が可能であるので、利便性を向上させることができる。
【００３９】
また本発明によれば、無線通信装置は、予め設定される開始時刻になると、無線基地局からのパケット化された放送用情報の受信を開始し、または予め設定される終了時刻になると、無線基地局からのパケット化された放送用情報の受信を終了する。したがって開始時刻になると、放送用情報の再生が開始され、または終了時刻になると、放送用情報の再生が終了される。これによって利便性を向上させることができる。
【００４０】
また本発明によれば、無線通信装置は、放送用出力情報を出力しているときに、所定の情報を受信すると、その旨を報知する。したがって無線通信装置によって放送局からの放送用情報が再生されているときでも、所定の情報を受信したことを、無線通信装置の操作者に通知することができる。
【００４１】
また本発明によれば、放送用情報送信サーバは、放送局からの放送用情報を編集するので、前記放送用情報を用いて、独自の編集情報を生成することができる。前記独自の編集情報は、たとえば過去の放送用情報を含んでいてもよい。放送用情報送信サーバは、前記独自の編集情報である編集された放送用情報をパケット化して送信するので、前記独自の編集情報を、無線通信装置の操作者に提供することができる。
【００４２】
また本発明によれば、放送用情報送信サーバは、無線通信装置からの編集送信要求情報に基づいて、放送局からの放送用情報を編集するので、前記放送用情報を用いて、前記編集送信要求情報に応じた独自の編集情報を生成することができる。
【００４３】
放送用情報送信サーバは、前記編集送信要求情報に応じた独自の編集情報である編集された放送用情報をパケット化して送信するので、前記編集送信要求情報に応じた独自の編集情報を、無線通信装置の操作者に提供することができる。換言すると、無線通信装置の操作者は、所望の放送用情報の送信を要求する編集送信要求情報を、無線通信装置から放送用情報送信サーバに送信することによって、所望の放送用情報を入手することができる。
【００４４】
また本発明によれば、ラジオ放送局からの放送用情報を、無線通信装置によって再生することができる。ラジオ放送局からの放送用情報は、多くの種類の有用な情報を含む。無線通信装置の操作者は、ラジオ受信機を持ち歩かなくても、前述のような放送用情報を、無線通信装置を用いて入手することができる。
【００４５】
また本発明によれば、放送用情報送信サーバは、パケット化された音声放送用情報を、楽曲を表す楽曲情報と、それ以外の音情報とに区別する。したがって無線通信装置では、これらの各情報に応じた放送用出力情報を生成して出力することができる。
【００４６】
また本発明によれば、放送用情報送信サーバは、音声放送用情報を、予め定める音声符号化方式によって符号化する。無線通信装置は、放送用情報送信サーバによって符号化された音声放送用情報を復号化して放送用出力情報を生成し、高音質の音声として出力することができる。
【００４７】
また本発明によれば、放送用情報送信サーバは、放送局からの音声放送用情報を、音声情報から文字情報に変換して、パケット化して、無線通信装置に送信する。これによって無線通信装置は、パケット化された放送用情報に基づいて生成した放送用出力情報を、画像として出力することができる。したがって利便性を向上させることができる。
【００４８】
また本発明によれば、放送用情報送信サーバは、放送局からの音声放送用情報および文字放送用情報を、個別にパケット化する。したがって音声放送用情報だけが必要な場合に、音声放送用情報だけでなく文字放送用情報までも送信されるということがなく、送信されるパケット数を低減することができる。
【００４９】
また本発明によれば、無線通信装置は、携帯電話装置によって実現されるので、無線通信装置の操作者は、無線通信装置を容易に持ち歩くことができる。無線通信装置の操作者は、無線通信装置を持ち歩いているとき、無線通信装置が無線基地局と無線通信可能であればいつでも、放送局からの放送用情報を入手することができる。
【００５０】
また本発明によれば、無線通信装置は、ＰＨＳ装置によって実現されるので、無線通信装置の操作者は、無線通信装置を容易に持ち歩くことができる。無線通信装置の操作者は、無線通信装置を持ち歩いているとき、無線通信装置が無線基地局と無線通信可能であればいつでも、放送局からの放送用情報を入手することができる。
【００５１】
また本発明によれば、無線通信装置は、無線ＬＡＮに用いられる可搬形のコンピュータによって実現される。無線通信装置の操作者は、無線通信装置が無線基地局と無線通信可能な場所に無線通信装置を設置すればいつでも、放送局からの放送用情報を入手することができる。
【００５２】
また本発明によれば、可搬形の無線通信装置は、前述のような放送用情報伝送システムを利用して、放送局からの放送用情報を取得する。したがって放送局が放送用アンテナを介して送信する電波の電界強度が不足するような場所でも、無線通信装置が無線基地局と無線通信可能であれば、この無線通信装置によって放送局からの放送用情報を再生することができる。
【発明を実施するための最良の形態】
【００５３】
図１は、本発明の実施の一形態の放送用情報伝送システム１の構成を示すブロック図である。放送用情報伝送システム１は、ラジオ放送局設備２から送信される放送用情報を、携帯電話網３を用いて、携帯電話装置４に伝送する。以下、ラジオ放送局設備をラジオ放送局と記載する。
【００５４】
放送局であるラジオ放送局２から送信される放送用情報は、音声放送用情報を含む。ラジオ放送局２は、放送用情報を、放送用アンテナ５を介して電波として送信する。ラジオ放送局２から送信される放送用情報は、ラジオ受信機６によって受信される。ラジオ受信機６は、放送用情報を受信して、受信した放送用情報を、音声として出力する。
【００５５】
放送用情報伝送システム１は、無線基地局設備１１と、携帯電話制御局設備１２と、放送用情報送信サーバ装置１３と、ゲートウェイ装置１４とを含む。以下、無線基地局設備を無線基地局と記載し、携帯電話制御局設備を携帯電話制御局と記載し、放送用情報送信サーバ装置を放送用情報送信サーバと記載し、ゲートウェイ装置をゲートウェイと記載する。本実施の形態において、無線通信ネットワークである携帯電話網３は、無線基地局１１、携帯電話制御局１２およびゲートウェイ１４を含んで構成される。
【００５６】
無線基地局１１は、携帯電話装置４と無線通信し、携帯電話制御局１２に接続される。携帯電話制御局１２は、公衆交換電話網（Public Switched Telephone Network、略称ＰＳＴＮ）１５に接続される。
【００５７】
ゲートウェイ１４は、携帯電話制御局１２とインターネット１６とを接続して、これらの携帯電話制御局１２とインターネット１６との間の通信を可能とする。放送用情報送信サーバ１３は、インターネット１６に接続される。したがってゲートウェイ１４は、携帯電話制御局１２と放送用情報送信サーバ１３とを接続して、これらの携帯電話制御局１２と放送用情報送信サーバ１３との間の通信を可能とする。
【００５８】
放送用情報送信サーバ１３は、１または複数（本実施の形態では３）のラジオ放送局２に、有線回線によって接続される。放送用情報送信サーバ１３は、前記有線回線を介して、第１〜第３のラジオ放送局２から、放送用情報をデジタル情報として受信する。
【００５９】
可搬形の無線通信装置である携帯電話装置４は、携帯電話網３を介して、他の携帯電話装置４と通信可能に構成され、また公衆交換電話網１５および携帯電話網３を介して固定電話装置と通信可能に構成される。携帯電話装置４は、音声通話のための通信が可能であるとともに、電子メール情報（以下、メール情報と記載する）などの送受信のためのパケット通信が可能である。
【００６０】
以上のように構成される放送用情報伝送システム１では、無線基地局１１は、携帯電話装置４から予め定める情報として、送信開始要求情報、設定情報、および送信終了要求情報などを受信する。設定情報は、各ラジオ放送局２からの放送用情報のいずれか１つを選択する選択情報を含む。無線基地局１１は、携帯電話装置４から予め定める情報を受信すると、この予め定める情報を携帯電話制御局１２に送信する。携帯電話制御局１２は、無線基地局１１から予め定める情報を受信すると、この予め定める情報を、ゲートウェイ１４およびインターネット１６を介して放送用情報送信サーバ１３に送信する。このようにして、携帯電話装置４から放送用情報送信サーバ１３に、予め定める情報が送信される。
【００６１】
放送用情報送信サーバ１３は、予め定める情報として、送信開始要求情報および設定情報を受信すると、設定情報の選択情報によって選択されるラジオ放送局２からの放送用情報を、パケット化する。以下、パケット化された放送用情報をパケット放送用情報と記載する場合がある。また、パケット化された第１〜第３のラジオ放送局２からの放送用情報を、第１〜第３のパケット放送用情報とそれぞれ記載する場合がある。
【００６２】
放送用情報送信サーバ１３は、パケット放送用情報を、インターネット１６およびゲートウェイ１４を介して携帯電話制御局１２に送信する。携帯電話制御局１２は、放送用情報送信サーバ１３からパケット放送用情報を受信すると、このパケット放送用情報を無線基地局１１に送信する。無線基地局１１は、携帯電話制御局１２からパケット放送用情報を受信すると、このパケット放送用情報を、前記送信開始要求情報の送信元である携帯電話装置４に送信する。このようにして、放送用情報送信サーバ１３から、前記送信開始要求情報の送信元である携帯電話装置４に、パケット放送用情報が送信される。
【００６３】
携帯電話装置４は、無線基地局１１からパケット放送用情報を受信すると、このパケット放送用情報に基づいて、放送用出力情報を生成して出力する。具体的に述べると、携帯電話装置４は、パケット放送用情報を順次、つなげることによって、放送用出力情報を生成し、この放送用出力情報を音声として出力する。このことは、パケット通信によって取得される音楽情報を、携帯電話装置４で着信メロディとして再生する場合と同様である。
【００６４】
携帯電話装置４から出力される前記放送用出力情報は、ラジオ受信機６から出力される前記受信した放送用情報よりも遅れるけれども、これらの各情報の内容は同様である。
【００６５】
放送用情報送信サーバ１３は、パケット放送用情報を送信しているときに、パケット放送用情報の送信先である携帯電話装置４から、予め定める情報として、設定情報の選択情報を受信すると、パケット化する放送用情報を、設定情報の選択情報によって選択されるラジオ放送局２からの放送用情報に切り替える。また放送用情報送信サーバ１３は、パケット放送用情報を送信しているときに、パケット放送用情報の送信先である携帯電話装置４から、予め定める情報として、送信終了要求情報を受信すると、その携帯電話装置４へのパケット放送用情報の送信を終了する。
【００６６】
本実施の形態では、携帯電話制御局１２は、パケット放送用情報の送信先である携帯電話装置４が通信圏外に移動されたことを検出すると、その携帯電話装置４へのパケット放送用情報の送信を終了することを要求する情報を放送用情報送信サーバ１３に送信する。放送用情報送信サーバ１３は、携帯電話制御局１２から前記情報を受信すると、前記携帯電話装置４へのパケット放送用情報の送信を終了する。
【００６７】
通信圏内とは、携帯電話装置４が無線基地局１１と無線通信可能な場所をいう。通信圏外とは、携帯電話装置４が無線基地局１１と無線通信不可能な場所をいう。一例として述べると、地下街および地下鉄においては、通信圏外となる場合がある。
【００６８】
図２は、放送用情報送信サーバ１３の機能ブロック図である。放送用情報送信サーバ１３は、放送用情報編集部２１と、ゲートウェイ部２２と、受信部２３と、受信情報復調部２４と、判断部２５と、送信情報制御部２６と、送信部２７と、文字情報変換部２８と、データベース部２９と、これらを制御する制御部３０とを含む。放送用情報編集部２１には、ゲートウェイ部２２を介して、各ラジオ放送局２からの放送用情報３１が与えられる。
【００６９】
受信部２３は、予め定める情報を受信すると、この予め定める情報を受信情報復調部２４に与える。受信部２３によって受信される予め定める情報は変調されているので、受信情報復調部２４は、受信部２３から予め定める情報を与えられると、この予め定める情報を、復調して、判断部２５に与える。判断部２５は、受信情報復調部２４から予め定める情報を与えられると、この予め定める情報を解析する。
【００７０】
判断部２５による解析の結果、予め定める情報が、送信開始要求情報と、設定情報の選択情報とであれば、放送用情報編集部２１は、設定情報の選択情報によって選択されるラジオ放送局２からの放送用情報を、送信情報制御部２６に与えることを開始する。
【００７１】
送信情報制御部２６は、放送用情報編集部２１から放送用情報を与えられると、この放送用情報を、携帯電話網３における無線通信に適合した符号化方式によって符号化する。これによって、放送用情報の音域のうち人の音声の音域を除く残余の音域が除去され、放送用情報が圧縮される。また送信情報制御部２６は、符号化された放送用情報をパケット化し、パケット化された放送用情報であるパケット放送用情報を、変調して、送信部２７に与える。送信部２７は、送信情報制御部２６からパケット放送用情報を与えられると、このパケット放送用情報を携帯電話制御局１２に送信する。
【００７２】
送信部２７がパケット放送用情報を送信しているとき、判断部２５による解析の結果、予め定める情報が、設定情報の選択情報であれば、放送用情報編集部２１は、送信情報制御部２６に与える放送用情報を、設定情報の選択情報によって選択されるラジオ放送局２からの放送用情報に切り替える。また、送信部２７がパケット放送用情報を送信しているとき、判断部２５による解析の結果、予め定める情報が、送信終了要求情報であれば、放送用情報編集部２１は、放送用情報を送信情報制御部２６に与えることを終了する。
【００７３】
図３は、携帯電話装置４の機能ブロック図である。携帯電話装置４は、携帯電話用アンテナ３６と、無線通信部３７と、情報処理部３８と、音声処理部３９と、表示部４０と、キー操作部４１と、開閉検出部４２と、報知部４３と、高音質再生部４４と、記憶部４５と、タイマ部４６と、電源部４７と、これらの各部を制御する制御部４８とを含む。
【００７４】
無線通信部３７は、無線基地局１１から送信された情報を、携帯電話用アンテナ３６を介して、受信する。また無線通信部３７は、情報処理部３８からの情報を、増幅して、携帯電話用アンテナ３６を介して送信する。
【００７５】
情報処理部３８は、無線通信部３７からの情報を復調するとともに、前記情報の種類を判別する。情報処理部３８は、前記情報が音声通話用の情報であると判断すると、前記情報を音声処理部３９に与え、前記情報が音声通話用の情報でないと判断すると、前記情報を制御部４８に与える。また情報処理部３８は、音声処理部３９および制御部４８からの情報を変調して、無線通信部３７に与える。
【００７６】
音声処理部３９は、情報処理部３８からの情報を、デジタル情報からアナログ情報に変換して、イヤピース４９から音声として出力する。マイク５０は、音声を音声情報に変換して、音声処理部３９に与える。音声処理部３９は、マイク５０からの情報を、アナログ情報からデジタル情報に変換して、情報処理部３８に与える。
【００７７】
制御部４８は、情報処理部３８からパケット放送用情報を与えられると、パケット放送用情報に基づいて、放送用出力情報を生成する。制御部４８は、放送用出力情報を生成すると、この放送用出力情報を、スピーカ５１から音声として出力する。
【００７８】
表示部４０は、着信情報およびメール情報などを、画像として表示する。キー操作部４１は、複数の操作キーを含む。これらの操作キーが押下されることによって、電話番号情報、ならびに発呼および着呼のための情報などが入力される。開閉検出部４２は、折り畳み形である携帯電話装置４の開閉を検出する。
【００７９】
報知部４３は、着信があったときの着信音、およびキー操作部４１が操作されたときの確認音などを、リンガ部５２から出力する。また報知部４３は、着信があったときなどに、発光ダイオード（Light Emitting Diode、略称ＬＥＤ）によって実現される発光部５３を発光させる。記憶部４５は、名前および電話番号に関する電話帳情報、ならびにラジオ放送局２の選局チャネル情報などを記憶する。電源部４７は、電池からの電力を携帯電話装置４に供給するための電源回路によって実現される。
【００８０】
図４は、携帯電話装置４と無線基地局１１との間の無線通信に用いられる無線チャネルを示す図であり、図４（１）は報知チャネルを示し、図４（２）はタイムスロットチャネルを示し、図４（３）はパケットチャネルを示す。携帯電話装置４と無線基地局１１との間の無線通信に用いられる無線チャネルには、大別して、制御チャネルと情報チャネルとがある。
【００８１】
制御チャネルは、各種チャネル情報が送られる報知チャネルと、携帯電話装置４と無線基地局１１との同期に使われる同期チャネルと、携帯電話装置４の呼び出しに使われるページングチャネルとを含む。情報チャネルは、タイムスロットチャネルと、パケットチャネルとを含む。
【００８２】
タイムスロットチャネルは、たとえば電話通話に用いられる。タイムスロットチャネルは、時間的に区切られて、複数のタイムスロットに分割される。電話通話にあたって、各携帯電話装置４は、異なるタイムスロットを利用する。たとえば、第１〜第４の携帯電話装置４が、第１〜第４のタイムスロット６１ａ〜６１ｄをそれぞれ利用する。このようなチャネル構成は、携帯電話装置４から無線基地局１１への上りチャネル、および無線基地局１１から携帯電話装置４への下りチャネルの両者に用いられる。タイムスロットの割り当ては、携帯電話制御局１２によって報知チャネルを用いて行われる。
【００８３】
パケットチャネルは、画像情報および音楽情報など情報量の多いデジタル情報を多くの携帯電話装置４に効率よく送信させるためのパケット通信に用いられる。パケットチャネルは、時間的に区切られて、複数のパケットスロットに分割される。各パケットスロット６２ａ〜６２ｄには、パケット化された情報が１つずつ挿入される。携帯電話装置４は、報知チャネルを介する携帯電話制御局１２からの指示情報６３に基づいて、どのパケットチャネルのどのパケットスロットの情報を受信するかを決定する。
【００８４】
本実施の形態では、パケット放送用情報が順次、放送用情報送信サーバ１３からインターネット１６およびゲートウェイ１４を介して携帯電話制御局１２に送信され、さらに携帯電話制御局１２から無線基地局１１に送信される。無線基地局１１は、パケット放送用情報を順次、パケットスロットに挿入して、携帯電話装置４に送信する。携帯電話装置４は、携帯電話制御局１２からの指示情報に基づいてパケット放送用情報を受信し、受信したパケット放送用情報を順次、つなげることによって、放送用出力情報６４を生成して出力する。また携帯電話装置は、パケット放送用情報を間欠的に受信する合間に、メール情報などを受信可能である。
【００８５】
以上のような放送用情報伝送システム１を用いれば、ラジオ放送局２からの放送用情報が、既存の携帯電話網３を介して携帯電話装置４に伝送される。したがってラジオ放送局２が放送用アンテナ５を介して送信する電波の電界強度が不足するような場所でも、携帯電話装置４が無線基地局１１と無線通信可能であれば、この携帯電話装置４によってラジオ放送局２からの放送用情報を再生することができる。
【００８６】
携帯電話装置４には、放送用情報送信サーバ１３から、パケット化された放送用情報が送信されるので、携帯電話装置４によってラジオ放送局２からの放送用情報が再生されているときでも、通信回線が占有されることがない。したがって携帯電話装置４によってラジオ放送局２からの放送用情報が再生されているときでも、その携帯電話装置４によって無線基地局１１から送信される他の情報、たとえばメール情報を受信することができる。また放送用情報を再生している携帯電話装置４が増加しても、有限の無線帯域が逼迫してしまうことが防がれ、携帯電話網３を用いた他の通信に与える影響を抑えることができる。
【００８７】
また前記第３の従来技術のように、携帯電話装置４毎に通信回線を確立して、ラジオ放送局２からの放送用情報を各携帯電話装置４にそれぞれ伝送するための設備が不要である。したがってシステムの構築およびメンテナンスを容易化することができ、システムの構築およびメンテナンスに要する負担を軽減することができる。
【００８８】
放送用情報送信サーバ１３は、放送用情報を放送するラジオ放送局２に関連する放送局関連情報を、ラジオ放送局２からの放送用情報とともにパケット化して送信してもよい。放送局関連情報は、たとえば放送局名を表す情報である。携帯電話装置４は、前記放送局関連情報を、表示部４０に画像として出力する。携帯電話装置４は、前記放送局関連情報を、スピーカ５１から音声として出力してもよい。これによって前記放送局関連情報を、携帯電話装置４の操作者に通知することができる。
【００８９】
携帯電話装置４は、受信再開モードおよび受信非再開モードのいずれか一方に、予め設定可能に構成されてもよい。受信再開モードでは、携帯電話装置４が、通信圏内でパケット放送用情報を受信しているときに、通信圏外に移動され、再び通信圏内に移動されたとき、携帯電話装置４は、送信開始要求情報および設定情報を、放送用情報送信サーバ１３に送信する。受信非再開モードでは、携帯電話装置４が、通信圏内でパケット放送用情報を受信しているときに、通信圏外に移動され、再び通信圏内に移動されたとき、携帯電話装置４は、待受け状態となる。
【００９０】
このように携帯電話装置４が、受信再開モードおよび受信非再開モードのいずれか一方に、予め設定可能に構成されることによって、利便性を向上させることができる。具体的に述べると、受信再開モードに設定されると、パケット放送用情報の受信の再開にあたって、携帯電話装置４の操作者は、通信圏内に戻ったか否かの確認および再開のための操作の必要がなく、確認および操作の煩わしさを解消することができる。また受信非再開モードに設定されると、携帯電話装置４の操作者が携帯電話装置４を待受け状態にし忘れることによって、携帯電話装置４に電力を供給する電池が無駄に消耗してしまうなどの不具合を防ぐことができる。
【００９１】
携帯電話装置４は、前記タイマ部４６を含み、タイマ部４６は、現在時刻情報を生成するとともに、タイマ設定情報を管理してもよい。タイマ設定情報は、開始時刻および終了時刻を表す。タイマ設定情報は、携帯電話装置４の操作者によって、予め設定される。携帯電話装置４は、タイマモードに設定されるとき、現在時刻が開始時刻になると、送信開始要求情報および設定情報を放送用情報送信サーバ１３に送信する。また携帯電話装置４は、タイマモードに設定されるとき、現在時刻が終了時刻になると、送信終了要求情報を放送用情報送信サーバ１３に送信し、待受け情報になる。
【００９２】
一例として述べると、開始時刻が午前８時に、終了時刻が午前９時に設定されると、タイマ部４６によって時間計測が開始される。午前８時になると、携帯電話装置４は、送信開始要求情報および設定情報を送信する。午前９時になると、携帯電話装置４は、送信終了要求情報を送信し、待受け情報になる。
【００９３】
このように携帯電話装置４は、現在時刻が開始時刻になると、送信開始要求情報および設定情報を放送用情報送信サーバ１３に送信する。これによって開始時刻になると、所望のラジオ放送局２からの放送用情報の再生が開始される。また携帯電話装置４は、現在時刻が終了時刻になると、送信終了要求情報を放送用情報送信サーバ１３に送信し、待受け情報になる。これによって終了時刻になると、放送用情報の再生が終了される。したがって利便性を向上させることができる。
【００９４】
携帯電話装置４は、報知モードに設定される場合、放送用出力情報を、スピーカから音声として出力しているときに、無線基地局１１から所定の情報を受信すると、その旨を報知してもよい。前記所定の情報は、電話通話のための着信報知情報であってもよく、メール情報であってもよい。一例として述べると、携帯電話装置４は、表示部４０によって着信画像を表示するとともに、報知部４３によって報知音を鳴らすことによって、前記所定の情報を受信したことを報知する。
【００９５】
このように携帯電話装置４は、放送用出力情報を出力しているときに、所定の情報を受信すると、その旨を報知する。したがって携帯電話装置４によってラジオ放送局２からの放送用情報が再生されているときでも、所定の情報を受信したことを、携帯電話装置４の操作者に通知することができる。
【００９６】
ラジオ放送局２からの音声放送用情報は、楽曲を表す楽曲情報と、それ以外の音情報とに分けられる。前記それ以外の音情報は、アナウンサの音声およびトークショーで話される音声などを表す情報である。
【００９７】
前記それ以外の音情報は、公衆交換電話網１５を経由してくる電話回線の音声情報と同じように、携帯電話網３における無線通信に適合した符号化方式によって符号化されてもよい。これに対して、楽曲情報は、それ以外の音情報に比べて音域が広い方が好ましい。
【００９８】
この点を考慮して、放送用情報送信サーバ１３は、楽曲情報を、それ以外の音情報に比べて音域が狭くならないように符号化してもよい。楽曲情報の符号化方式は、例えばＭＰ３（MPEG-1 Audio Layer-3）であってもよく、ＭＰＥＧ（Motion Picture Experts Group）４に使われるＡＡＣ（Advanced Audio Codec）であってもよい。このように符号化した後、放送用情報送信サーバ１３は、音声放送用情報をパケット化し、パケット化された音声放送用情報を、識別タグによって、楽曲情報とそれ以外の音情報とに区別する。
【００９９】
これによって携帯電話装置４では、これらの各情報に応じた放送用出力情報を生成して出力することができる。楽曲情報は、それ以外の音情報に比べて、音域の広い音声として出力される。また前記それ以外の音情報については、符号化による圧縮によって、送信されるパケット数を低減することができる。
【０１００】
携帯電話網３における無線通信に適合した符号化方式では、人の発する音声の音声帯域しか保証されないので、この符号化方式で放送用情報が符号化されると、放送用情報は、音域が狭くなり、音質が低下してしまう。この点を考慮して、ラジオ放送局２からの放送用情報が、人間の発する音声の音声帯域よりも周波数の高い音声帯域まで保証されている音声放送用情報、いわゆる高品質音楽情報（以下、音楽情報と記載する）であるとき、放送用情報送信サーバ１３は、音楽情報を、予め定める音声符号化方式、たとえばＭＰ３、またはＭＰＥＧ４に使われるＡＡＣによって符号化する。
【０１０１】
詳細に述べると、放送用情報編集部２１は、音楽情報を、前記予め定める音声符号化方式によって符号化する。放送用情報編集部２１は、前記予め定める音声符号化方式によって符号化された音楽情報である音声符号化情報を送信情報制御部２６に与える。送信情報制御部２６は、音声符号化情報を、携帯電話網３における無線通信に適合したファイルデータとして処理する。
【０１０２】
音声符号化情報は、特別な識別タグで識別される。これによって放送用情報送信サーバ１３によってパケット化された音声放送用情報は、音声符号化情報と、それ以外の音情報とに区別される。したがって携帯電話装置４では、これらの各情報に応じて、放送用出力情報を生成して出力することができる。
【０１０３】
携帯電話装置４の制御部４８は、情報処理部３８からのパケット放送用情報から、識別タグで識別される音声符号化情報を抽出して、高音質再生部４４に与える。高音質再生部４４は、識別タグで識別される音声符号化情報を、復号化して、広い周波数帯域に対応可能なスピーカ５１またはヘッドフォンから音声として出力する。したがって携帯電話装置４は、音声符号化情報に基づく放送用出力情報を、高音質の音声として出力することができる。
【０１０４】
設定情報は、音声放送用情報を音声情報から文字情報に変換することを要求する文字変換要求情報と、前記変換を拒否する文字変換拒否情報とを含む。前記文字情報は、メール情報と同様のＨＴＭＬ（Hyper Text Markup Language）情報であってもよく、ＸＭＬ（
eXtensible Markup Language）情報であってもよい。本実施の形態のように携帯電話装置４が用いられる場合は、文字情報は、ＨＴＭＬ情報よりも単純なＸＭＬ情報の方が好ましい。
【０１０５】
放送用情報送信サーバ１３は、予め定める情報として、設定情報の文字変換要求情報を受信すると、音声放送用情報を、音声情報から文字情報に変換する。詳細に述べると、判断部２５による解析の結果、予め定める情報が、設定情報の文字変換要求情報であれば、放送用情報編集部２１は、音声放送用情報を、文字情報変換部２８に与える。文字情報変換部２８は、放送用情報編集部２１から音声放送用情報を与えられると、この音声放送用情報を、音声情報から文字情報に変換して、送信情報制御部２６に与える。
【０１０６】
音声情報から文字情報に変換された後にパケット化された放送用情報であるパケット放送用情報は、メール情報などの文字情報と同じ扱いで、携帯電話装置４に送信される。携帯電話装置４は、パケット放送用情報に基づく放送用出力情報を生成して、画像として出力する。
【０１０７】
このように、テレビ放送におけるキャプチャー機能のように、放送用情報送信サーバ１３によって音声放送用情報を音声情報から文字情報に変換し、携帯電話装置４の表示部４０によって、音声放送用情報に基づく放送用出力情報が画像として表示される。したがって騒音のある場所および静かにしなければならない場所でも、携帯電話装置４の操作者は、ラジオ放送局からの放送用情報を入手することができ、これによって利便性を向上させることができる。
【０１０８】
放送用情報送信サーバ１３は、予め定める情報として、設定情報の文字変換拒否情報を受信すると、音声情報から文字情報への変換を止める。詳細に述べると、判断部２５による解析の結果、予め定める情報が、設定情報の文字変換拒否情報であれば、放送用情報編集部２１は、音声放送用情報を、送信情報制御部２６に与える。
【０１０９】
ラジオ放送局２から送信される放送用情報は、音声放送用情報だけでなく、文字放送用情報を含んでもよい。文字放送用情報は、たとえばＦＭ文字放送用情報である。設定情報は、ＦＭ文字放送用情報を要求する文字要求情報と、ＦＭ文字放送用情報を拒否する文字拒否情報を含む。
【０１１０】
放送用情報送信サーバ１３は、予め定める情報として、設定情報の文字要求情報を受信すると、音声放送用情報をパケット化して携帯電話装置４に送信するとともに、ＦＭ文字放送用情報をパケット化して携帯電話装置４に送信する。携帯電話装置４は、音声放送用情報によるパケット放送用情報に基づく放送用出力情報を生成して、音声として出力するとともに、ＦＭ文字放送用情報によるパケット放送用情報に基づく放送用出力情報を生成して、画像として出力する。
【０１１１】
放送用情報送信サーバ１３は、音声放送用情報およびＦＭ文字放送用情報を、個別にパケット化する。したがって音声放送用情報だけが必要な場合に、音声放送用情報だけでなくＦＭ文字放送用情報までも送信されるということがなく、送信されるパケット数を低減することができる。
【０１１２】
放送用情報送信サーバ１３は、予め定める情報として、設定情報の文字拒否情報を受信すると、ＦＭ文字放送用情報のパケット化を止めて、ＦＭ文字放送用情報によるパケット放送用情報の送信を止める。
【０１１３】
放送用情報送信サーバ１３は、携帯電話装置４から、予め定める情報として、編集送信要求情報を受信すると、この編集送信要求情報に基づいて、各ラジオ放送局２からの放送用情報を編集し、編集された放送用情報をパケット化して送信してもよい。詳細に述べると、放送用情報編集部２１が、各ラジオ放送局２からの放送用情報を蓄積し、編集送信要求情報に基づいて、各ラジオ放送局２からの放送用情報を編集する。
【０１１４】
このように放送用情報送信サーバ１３は、携帯電話装置４からの編集送信要求情報に基づいて、各ラジオ放送局２からの放送用情報を編集するので、前記放送用情報を用いて、前記編集送信要求情報に応じた独自の編集情報を生成することができる。放送用情報送信サーバ１３は、前記編集送信要求情報に応じた独自の編集情報である編集された放送用情報をパケット化して送信するので、前記編集送信要求情報に応じた独自の編集情報を、携帯電話装置４の操作者に提供することができる。換言すると、携帯電話装置４の操作者は、所望の放送用情報の送信を要求する編集送信要求情報を、携帯電話装置４から放送用情報送信サーバ１３に送信することによって、所望の放送用情報を入手することができる。
【０１１５】
一例として述べると、編集送信要求情報が、前日の午前８時〜午前９時に第１のラジオ放送局２で放送された放送用情報の送信を要求する情報であるとき、放送用情報送信サーバ１３は、過去の放送用情報から、前日の午前８時〜午前９時に第１のラジオ放送局２で放送された放送用情報を集めるように、放送用情報を編集する。また放送用情報送信サーバ１３は、編集された放送用情報をパケット化して送信する。このように放送用情報送信サーバ１３は、過去の放送用情報も、携帯電話装置４の操作者に提供することができる。換言すると、携帯電話装置４の操作者は、聞き逃した過去の放送用情報を、後から聞くことができる。
【０１１６】
ラジオ放送局２からの放送用情報は、多くの種類の有用な情報を含む。携帯電話装置４の操作者は、ラジオ受信機６を持ち歩かなくても、前述のような放送用情報を、携帯電話装置４を用いて入手することができる。
【０１１７】
携帯電話装置４の操作者は、携帯電話装置４を容易に持ち歩くことができる。携帯電話装置４の操作者は、携帯電話装置４を持ち歩いているとき、携帯電話装置４が無線基地局１１と無線通信可能であればいつでも、ラジオ放送局２からの放送用情報を入手することができる。
【０１１８】
放送用情報送信サーバ１３のデータベース部２９は、各ラジオ放送局２を運営する放送事業者が開催するイベントに関するイベント情報などを蓄積する。本実施の形態では、イベント情報が、メール情報として携帯電話装置４に送信されるように、送信情報制御部２６および送信部２７が、制御部３０によって制御されてもよい。これによって携帯電話装置４の操作者に、イベント情報などを通知することができる。
【０１１９】
また放送用情報送信サーバ１３のデータベース部２９は、ラジオ番組に対するコメントなどに関するコメント情報を蓄積する。これによって放送用情報送信サーバ１３を運営する通信事業者は、コメントに答えるべく、放送用情報送信サーバ１３を改良することができる。
【０１２０】
放送用情報送信サーバ１３は、有線回線を介して、各ラジオ放送局２から、放送用情報をデジタル情報として受信する。したがって各ラジオ放送局２が各放送用アンテナ５を介して電波として送信する放送用情報を、放送用情報送信サーバ１３が受信アンテナを介して受信する場合に比べて、放送用情報送信サーバ１３は、雑音の少ない放送用情報を、安定して取得することができる。
【０１２１】
無線基地局１１および携帯電話制御局１２を運営する通信事業者（以下、キャリアと記載する）は、インターネット１６介して取得可能なウェブ情報のダウンロードサービスを提供している。ダウンロードサービスを利用すると、携帯電話装置４の操作者は、携帯電話装置４をインターネット１６に接続して、ウェブ情報を携帯電話装置４にダウンロードすることができる。
【０１２２】
ウェブ情報のうち有料情報のダウンロードに関してはセキュリティの問題があるので、予め定めるポータルサイトにだけ、携帯電話装置４からのアクセスを許可するように、ゲートウェイ１４が管理される。前記予め定めるポータルサイトとは、キャリアと契約した他の通信事業者によるポータルサイトである。したがって携帯電話装置４の操作者は安心して、有料情報を携帯電話装置４にダウンロードすることができる。
【０１２３】
有料情報のダウンロードに対する料金は全て、キャリアへの通話料金として、携帯電話装置４の操作者からキャリアに支払われる。この後、有料情報のダウンロードに対する料金が、キャリアから、ポータルサイトを運営する通信事業者に支払われる。
【０１２４】
放送用情報送信サーバ１３は、パケット放送用情報を、ゲートウェイ１４を介して携帯電話制御局１２に送信するので、パケット放送用情報は、他の有料情報と何ら区別することなく、携帯電話制御局１２に与えられる。これによって放送用情報伝送システム１は、他のサーバが、ゲートウェイ１４を介して携帯電話制御局１２、さらには無線基地局１１に、パケット化された他の情報を送信する場合と、同じシステム構成となる。
【０１２５】
したがってキャリアは、放送用情報送信サーバ１３を運営する通信事業者と契約することによって、放送用情報送信サーバ１３からのパケット化された放送用情報の提供および他のサーバからのパケット化された他の情報の提供を、セキュリティおよび課金について一元化することができる。
【０１２６】
また各ラジオ放送局２を運営する放送事業者と、放送用情報送信サーバ１３を運営する通信事業者とが契約して、パケット放送用情報のダウンロードに対する料金の一部が、前記通信事業者から放送事業者に支払われてもよい。
【０１２７】
音声放送用情報を音声情報から文字情報に変換するサービス、および音楽情報を予め定める音声符号化方式によって符号化するサービスなどは、有料にしてもよい。これらの各サービスは、携帯電話装置４の操作者と、放送用情報送信サーバ１３を運営する通信事業者とが契約することによって、携帯電話装置４の操作者に提供されるようにしてもよい。
【０１２８】
図５および図６は、携帯電話装置４の表示部４０に表示される画面を示す図である。携帯電話装置４の表示部４０に表示される画面は、操作者によってキー操作部４１が操作されることによって切り替わる。
【０１２９】
表示部４０には、図５（１）に示す機能一覧画面７１が表示される。機能一覧画面７１における「８．ウェブ」が選択されると、表示部４０には、図５（２）に示すウェブ画面７２が表示される。ウェブ画面７２における「５．ラジオ」が選択されると、表示部４０には、図５（３）に示すラジオ設定画面７３が表示される。ラジオ設定画面７３における「１．ＯＮ」が選択されると、表示部４０には、図５（４）に示すＯＮ設定画面７４が表示される。
【０１３０】
ＯＮ設定画面７４における「１．ラジオ局ＣＨ設定」が選択されると、表示部４０には、図６（１）に示すラジオ局ＣＨ設定画面７５が表示される。ラジオ局ＣＨ設定画面７５は、１または複数（本実施の形態では３）の放送局名を表す。各放送局名は、放送用情報送信サーバ１３に放送用情報を送信する各ラジオ放送局２にそれぞれ対応する。本実施の形態では、第１〜第３放送は、第１〜第３のラジオ放送局２にそれぞれ対応する。
【０１３１】
ラジオ局ＣＨ設定画面７５が表示部４０に表示されるとき、キー操作部４１の「０」〜「９」の操作キーと、ラジオ放送局２とを関連付けることができる。一例として述べると、ラジオ局ＣＨ設定画面７５における「１．第１放送」が選択され、この後、キー操作部４１の「１」の操作キーが押下される。また、ラジオ局ＣＨ設定画面７５における「２．第２放送」が選択され、この後、キー操作部４１の「２」の操作キーが押下される。
【０１３２】
この場合、携帯電話装置４がパケット放送用情報を受信しているときに、「１」の操作キーが押下されると、携帯電話装置４は、第１のラジオ放送局２からの放送用情報を選択する選択情報を放送用情報送信サーバ１３に送信する。また携帯電話装置４がパケット放送用情報を受信しているときに、「２」の操作キーが押下されると、携帯電話装置４は、第２のラジオ放送局２からの放送用情報を選択する選択情報を放送用情報送信サーバ１３に送信する。
【０１３３】
ＯＮ設定画面７４における「２．ＦＭ文字放送」が選択されると、表示部４０には、図６（２）に示すＦＭ文字放送画面７６が表示される。ＦＭ文字放送画面７６における「１．ＯＮ」が選択されると、携帯電話装置４は、文字要求情報を送信し、ＦＭ文字放送用情報によるパケット放送用情報の受信が可能となる。またＦＭ文字放送画面７６における「２．ＯＦＦ」が選択されると、携帯電話装置４は、文字拒否情報を送信し、ＦＭ文字放送用情報によるパケット放送用情報の受信が禁止となる。
【０１３４】
前記ＦＭ文字放送画面７６における「１．ＯＮ」が選択されると、携帯電話装置４は、文字要求情報とともに文字変換要求情報を送信し、音声情報から文字情報に変換された音声放送用情報によるパケット放送用情報の受信も可能となってもよい。また前記ＦＭ文字放送画面７６における「２．ＯＦＦ」が選択されると、携帯電話装置４は、文字拒否情報とともに文字変換拒否情報を送信し、音声情報から文字情報に変換された音声放送用情報によるパケット放送用情報の受信も禁止となってもよい。
【０１３５】
ＯＮ設定画面７４における「３．表示内容」が選択されると、表示部４０には、図６（３）に示す表示内容画面７７が表示される。表示内容画面７７における「１．ラジオ局名表示」が選択されると、放送局名が表示部４０に表示される。表示内容画面７７における「２．ＣＨ設定表示」が選択されると、前記ラジオ局ＣＨ設定画面７５において設定された情報が、画像として表示部４０に表示される。
【０１３６】
ＯＮ設定画面７４における「４．設定」が選択されると、表示部４０には、図６（４）に示す設定画面７８が表示される。設定画面７８における「１．常時受信」が選択されると、携帯電話装置４は、パケット放送用情報を常時受信可能な常時受信モードに設定され、送信開始要求情報および設定情報を放送用情報送信サーバ１３に送信する。
【０１３７】
設定画面７８における「２．時間ＯＮ／ＯＦＦ」が選択されると、パケット放送用情報の受信を開始する開始時刻およびパケット放送用情報の受信を終了する終了時刻の、操作者による設定が可能となる。開始時刻および終了時刻が設定されると、携帯電話装置４は、タイマモードに設定される。タイマモードでは、携帯電話装置４は、パケット放送用情報の受信を、予め設定された開始時刻に開始して、予め設定された終了時刻に終了する。
【０１３８】
設定画面７８における「３．着信表示／切替」が選択されると、携帯電話装置４は、報知モードに設定される。報知モードでは、携帯電話装置４は、パケット放送用情報に基づく放送用出力情報を音声として出力しているときでも、電話通話などのための着信があったことを報知することができる。
【０１３９】
ラジオ設定画面７３における「２．ＯＦＦ」が選択されると、携帯電話装置４は、パケット放送用情報の受信が禁止された受信禁止モードに設定され、送信終了要求情報を放送用情報送信サーバ１３に送信する。デフォルトでは、携帯電話装置４は、受信禁止モードに設定される。
【０１４０】
ラジオ設定画面７３における「３．圏外復帰時ＯＮ」が選択されると、携帯電話装置４は、受信再開モードに設定される。ラジオ設定画面７３における「４．圏外復帰時ＯＦＦ」が選択されると、携帯電話装置４は、受信非再開モードに設定される。
【０１４１】
後述の実施の各形態では、可能な範囲内で前述の実施の形態と同様の構成を有してもよく、前述の実施の形態と同様の構成を有することによって、前述の実施の形態と同様の効果を達成することができる。
【０１４２】
図７は、本発明の実施の他の形態の放送用情報伝送システム１が備える無線基地局１１と、携帯電話装置４との間の無線通信に用いられるパケットチャネルの一例を示す図である。本実施の形態の放送用情報伝送システム１は、前述の実施の形態の放送用情報伝送システム１に類似するので、異なる点についてだけ説明する。
【０１４３】
放送用情報送信サーバ１３は、携帯電話装置４からの予め定める情報にかかわらず、各ラジオ放送局２からの放送用情報によるパケット放送用情報を、携帯電話制御局１２に継続的に送信する。携帯電話制御局１２は、各パケット放送用情報を無線基地局１１から送信するための無線チャネルを指定する。無線基地局１１は、携帯電話制御局１２によって指定された無線チャネルを用いて、放送用情報送信サーバ１３からの各パケット放送用情報を送信する。
【０１４４】
本実施の形態では、携帯電話制御局１２は、パケットチャネルの各パケットスロットに、第１〜第３のラジオ放送局２からの放送用情報によるパケット放送用情報（以下、第１〜第３のパケット放送用情報）８１ａ〜８１ｃをそれぞれ割り当てる。
【０１４５】
携帯電話制御局１２は、携帯電話装置４から予め定める情報を受信すると、この予め定める情報に応じた指示情報を、報知チャネルを用いて携帯電話装置４に送信する。携帯電話装置４は、携帯電話制御局１２からの指示情報に基づいてパケット放送用情報を受信し、受信したパケット放送用情報を順次、つなげることによって、放送用出力情報を生成して出力する。一例として述べると、携帯電話装置４は、第１のパケット放送用情報８１ａを受信し、受信した第１のパケット放送用情報８１ａを順次、つなげることによって、第１の放送用出力情報８２を生成して出力する。
【０１４６】
このように、何も情報のない無線チャネルを複数のパケットスロットに分割して、各パケットスロットに、各パケット放送用情報を割り当てることによって、無駄な空きスロットをなくすことができる。また携帯電話装置４は、各パケット放送用情報のいずれか１つを選択的に受信する。したがってパケット放送用情報を、無線基地局１１から携帯電話装置４に、効率よく送信することができる。
【０１４７】
携帯電話装置４は、無線基地局１１から受信するパケット放送用情報を選択可能である。したがって無線基地局１１からの各パケット放送用情報のうち任意のパケット放送用情報を、携帯電話装置４によって受信することができる。
【０１４８】
携帯電話装置４で受信されるパケット放送用情報の切替えは、携帯電話装置４のキー操作部４１の操作キーが操作者によって操作されることによって実現されてもよい。携帯電話装置４と携帯電話制御局１２との間では、携帯電話装置４でパケット放送用情報が受信されているときに、携帯電話装置４の操作キーの操作に応じて、携帯電話装置４で受信されるパケット放送用情報を切り替えるためのプロトコルが決められている。
【０１４９】
一例として述べると、携帯電話装置４でパケット放送用情報が受信されているときに、携帯電話装置４の「２」の操作キーが押下されると、携帯電話装置４は、「２」の操作キーに対応するラジオ放送局２からの放送用情報を選択する選択情報を携帯電話制御局１２に送信する。携帯電話制御局１２は、前記選択情報に基づいて、使用を許可するパケットスロットを、選択された放送用情報が挿入されるパケットスロットに切り替えるための指示情報を携帯電話装置４に送信する。携帯電話装置４は、携帯電話制御局１２からの指示情報に基づいて、使用するパケットスロットを切り替える。これによって携帯電話装置４で受信されるパケット放送用情報を切り替えることができる。
【０１５０】
本実施の形態では、パケットチャネルは１つであり、３つのラジオ放送局２からの放送用情報によるパケット放送用情報が無線基地局１１から送信されるけれども、パケットチャネルをさらに増やすことによって、４つ以上のラジオ放送局２からの放送用情報によるパケット放送用情報の送信も可能となる。
【０１５１】
また本実施の形態では、放送用情報送信サーバ１３は、各ラジオ放送局２で放送中の放送用情報によるパケット放送用情報を、携帯電話制御局１２に継続的に送信する。これに対して、本発明の実施のさらに他の形態では、放送用情報送信サーバ１３は、前記パケット放送用情報に加えて、各ラジオ放送局２で過去に放送された放送用情報によるパケット放送用情報も、携帯電話制御局１２に継続的に送信してもよい。一例として述べると、放送用情報送信サーバ１３は、各ラジオ放送局２で１時間前に放送された放送用情報も、携帯電話制御局１２に継続的に送信してもよい。
【０１５２】
このとき、携帯電話制御局１２は、パケットチャネルの各パケットスロットに、各ラジオ放送局２で放送中の放送用情報によるパケット放送用情報と、各ラジオ放送局２で過去に放送された放送用情報によるパケット放送用情報とを、それぞれ割り当てる。これによって、各パケット放送用情報を、無線基地局１１から携帯電話装置４に、効率よく送信することができる。
【０１５３】
このような本実施の形態によれば、放送用情報送信サーバ１３は、放送中の放送用情報とともに過去の放送用情報も、携帯電話装置４の操作者に提供することができる。換言すると、携帯電話装置４の操作者は、聞き逃した過去の放送用情報を、後から聞くことができる。
【０１５４】
図８は、各パケット放送用情報のヘッダ部８６の構成を示す図である。本発明の実施のさらに他の形態では、各パケット放送用情報８１ａ〜８１ｃのヘッダ部８６は、放送局関連情報８７、放送内容情報８８、文字情報８９、音楽情報９０および音符情報９１を含む。放送内容情報８８は、ラジオ番組を紹介する情報であり、たとえばラジオ番組名を表す情報である。各情報８７〜９１には、ヘッダビット９２がそれぞれ付加される。ヘッダ部８６の最後には、テイルビット（Tail Bit）９３がある。ヘッダ部８６は、放送用情報送信サーバ１３によって、各パケット放送用情報８１ａ〜８１ｃに付加される。
【０１５５】
携帯電話装置４の記憶部４５には、ヘッダ部８６の各情報８７〜９１に対する処理手順を示すプログラムが予め記憶され、携帯電話装置４の制御部４８は、前記プログラムを実行する。一例として述べると、携帯電話装置４の制御部４８が前記プログラムを実行することによって、ヘッダビット９２としてＨＢ１が付加される放送局関連情報８７は、画像として表示部４０の所定位置に表示される。
【０１５６】
図９は、パケットチャネルの他の例を示す図である。本発明の実施のさらに他の形態では、携帯電話制御局１２は、パケットチャネルのパケットスロットに、第１〜第３のパケット放送用情報８１ａ〜８１ｃだけでなく、音楽情報１０１および画像付きメール情報１０２など情報量の多い情報をそれぞれ割り当ててもよい。これによって、携帯電話装置４は、パケット放送用情報を受信して、受信したパケット放送用情報に基づく放送用出力情報を出力しているときに、音楽情報１０１およびメール情報１０２を受信することができる。
【０１５７】
携帯電話装置４は、音楽情報１０１および画像付きメール情報１０２を受信すると、その旨を報知してもよい。音楽情報用のパケットスロットおよびメール情報用のパケットスロットには、音声情報から文字情報に変換された後にパケット化された放送用情報であるパケット放送用情報が挿入されてもよい。
【０１５８】
図１０は、タイムスロットチャネルのタイムスロットに図８に示すヘッダ部８６の各情報８７〜９１が挿入される例を説明するための図である。本発明の実施のさらに他の形態では、パケットチャネルおよびタイムスロットチャネルの両者を利用してもよい。本実施の形態では、放送用情報送信サーバ１３は、前記ヘッダ部８６の各情報８７〜９１を、専用の通信プロトコルによって、携帯電話装置４に送信する。
【０１５９】
前記ヘッダ部８６の各情報８７〜９１は、タイムスロットチャネルに挿入される。パケット放送用情報は、パケットチャネルに挿入される。携帯電話制御局１２は、前記ヘッダ部８６の各情報８７〜９１およびパケット放送用情報を交互に、無線基地局１１を介して送信し、携帯電話装置４は、前記ヘッダ部８６の各情報８７〜９１およびパケット放送用情報を交互に受信する。このようにして、前記ヘッダ部８６の各情報８７〜９１が、携帯電話装置４に与えられてもよい。
【０１６０】
本発明の実施のさらに他の形態では、携帯電話制御局１２は、パケット放送用情報を携帯電話装置４に送信しているときに、その携帯電話装置４に着信があったとき、前記ヘッダ部８６の各情報８７〜９１に代えて、着信報知情報を、前記ヘッダ部８６に挿入してもよい。携帯電話装置４は、着信報知情報を受信すると、その旨を報知する。これによって携帯電話装置４の操作者は、着信があったことを知り、着呼を選択することができる。
【０１６１】
着呼が選択されると、携帯電話装置４の制御部４８は、前記ヘッダ部８６の着信報知情報に基づいて、電話通話のために指定される無線チャネルを示すチャネル情報を検出し、その無線チャネルで電話通話が可能となるように、無線通信部３７を制御する。これによって携帯電話装置４は、電話通話が可能となる。
【０１６２】
携帯電話装置４は、電話通話が終了した後にパケット放送用情報の受信を再開するように、設定されてもよい。携帯電話制御局１２は、無線基地局１１と携帯電話装置４との間の終了プロトコルに従って、どの無線チャネルでパケット放送用情報の受信が可能かを示す指示情報を携帯電話装置４に送信する。携帯電話装置４は、指示情報に基づいて、指定された無線チャネルでパケット放送用情報の受信が可能となるように、無線通信部３７を制御する。これによってパケット放送用情報の受信を再開することができる。
【０１６３】
前述の実施の各形態では、現状の携帯電話網３における通信プロトコルとは異なる部分があるけれども、前述の実施の各形態は、既存の無線チャネルの構成を元に十分、実現可能である。
【０１６４】
前述の実施の各形態は、本発明の例示に過ぎず、本発明の範囲内において構成を変更することができる。たとえば放送用情報送信サーバ１３は、インターネット１６を介さずに、ゲートウェイ１４に直接、接続されてもよい。放送用情報送信サーバ１３は、受信アンテナを介して、各ラジオ放送局２が各放送用アンテナ５を介して電波として送信する放送用情報を受信してもよい。放送用情報は、テレビ放送局からの放送用情報であってもよい。
【０１６５】
放送用情報は、放送中の情報に限らず、過去に放送された情報または将来に放送される情報であってもよい。このような放送用情報は、記録媒体に記録され、放送用情報送信サーバ１３は、前記記録媒体に記録される放送用情報を取り込んでもよい。
【０１６６】
放送用情報送信サーバ１３は、ラジオ放送局２からの放送用情報を編集し、編集された放送用情報をパケット化して送信してもよい。詳細に述べると、放送用情報編集部２１が、ラジオ放送局２からの放送用情報を編集する。放送用情報編集部２１は、たとえば過去の音声放送用情報から楽曲情報を抽出して集めるように、音声放送用情報を編集してもよい。
【０１６７】
このように放送用情報送信サーバ１３は、ラジオ放送局２からの放送用情報を編集するので、前記放送用情報を用いて、独自の編集情報を生成することができる。また放送用情報送信サーバ１３は、前記独自の編集情報である編集された放送用情報をパケット化して送信するので、前記独自の編集情報を、携帯電話装置４の操作者に提供することができる。
【０１６８】
また、無料のショートメールサービスのために、制御チャネルが用いられるのように、前述の実施の各形態においても、情報チャネルに代えて、制御チャネルが、パケットチャネルとして用いられてもよい。このように制御チャネルが、パケットチャネルとして用いられても、前述の実施の各形態と同様に、パケット放送用情報を、無線基地局１１から無線通信装置に、効率よく送信することができる。
【０１６９】
本発明は、パケット通信が可能な無線通信ネットワークを用いて実現される。可搬形の無線通信装置は、ＰＨＳ（Personal Handyphone System）装置によって実現され、無線通信ネットワークは、ＰＨＳ網によって実現されてもよい。ＰＨＳ装置の操作者は、ＰＨＳ装置を容易に持ち歩くことができる。ＰＨＳ装置の操作者は、ＰＨＳ装置を持ち歩いているとき、ＰＨＳ装置が無線基地局と無線通信可能であればいつでも、ラジオ放送局２からの放送用情報を入手することができる。
【０１７０】
また可搬形の無線通信装置は、無線ＬＡＮ（Local Area Network）に用いられる可搬形のコンピュータによって実現され、無線通信ネットワークは無線ＬＡＮシステムによって実現されてもよい。前記可搬形のコンピュータは、たとえば携帯情報端末装置（Personal Digital Assistant、略称ＰＤＡ）およびパーソナルコンピュータに、無線ＬＡＮ接続可能な無線ＬＡＮカードが装着されることによって実現される。
【０１７１】
前記可搬形のコンピュータは、たとえば公衆無線ＬＡＮを利用できる場所、いわゆるホットスポットにおいて、パケット放送用情報などを受信することができる。前記可搬形のコンピュータの操作者は、前記可搬形のコンピュータが無線基地局と無線通信可能な場所に、たとえばホットスポットに前記可搬形のコンピュータを設置すればいつでも、ラジオ放送局２からの放送用情報を入手することができる。
【図面の簡単な説明】
【０１７２】
【図１】本発明の実施の一形態の放送用情報伝送システム１の構成を示すブロック図である。
【図２】放送用情報送信サーバ１３の機能ブロック図である。
【図３】携帯電話装置４の機能ブロック図である。
【図４】携帯電話装置４と無線基地局１１との間の無線通信に用いられる無線チャネルを示す図である。
【図５】携帯電話装置４の表示部４０に表示される画面を示す図である。
【図６】携帯電話装置４の表示部４０に表示される画面を示す図である。
【図７】本発明の実施の他の形態の放送用情報伝送システム１が備える無線基地局１１と、携帯電話装置４との間の無線通信に用いられるパケットチャネルの一例を示す図である。
【図８】各パケット放送用情報のヘッダ部８６の構成を示す図である。
【図９】パケットチャネルの他の例を示す図である。
【図１０】タイムスロットチャネルのタイムスロットに図８に示すヘッダ部８６が挿入される例を説明するための図である。
【符号の説明】
【０１７３】
１  放送用情報伝送システム
２  ラジオ放送局
３  携帯電話網
４  携帯電話装置
１１  無線基地局
１２  携帯電話制御局
１３  放送用情報送信サーバ
１４  ゲートウェイ
１６  インターネット
【図１】
2006135757.tif 000003
【図２】
2006135757.tif 000004
【図３】
2006135757.tif 000005
【図４】
2006135757.tif 000006
【図５】
2006135757.tif 000007
【図６】
2006135757.tif 000008
【図７】
2006135757.tif 000009
【図８】
2006135757.tif 000010
【図９】
2006135757.tif 000011
【図１０】
2006135757.tif 000012